(57)【特許請求の範囲】
【請求項１】
表示画面上に各種の情報を表示する表示手段と、
記録材を貯留する記録材貯留手段と、
通信回線を介して画像情報を受信する受信手段と、
前記受信手段により受信された画像情報を記憶する画像情報記憶手段と、
前記受信手段により受信された画像情報に基づく受信画像を、記録用紙を搬送しながら頁単位で前記記録材貯留手段に貯留された記録材を用いて前記記録用紙上の受信画像記録領域に記録するとともに、前記記録用紙上の受信画像記録領域外の所定の位置に、前記記録材貯留手段に貯留された記録材を用いて所定の記号を記録する記録手段と、
前記記号が記録された前記記録用紙の搬送時に当該記号が対向する所定の位置に設けられ、光源から前記記号に光を照射するとともに、その反射光を受光センサで受光し、その受光信号に基づいて前記記号を検出する記号検出手段とを有する通信装置であって、
使用者による指示操作に基づいて、前記記録手段による前記記号の記録を許可する記号記録許可状態と前記記録手段による前記記号の記録を禁止する記号記録禁止状態とに切り替える記号記録制御手段と、
前記記号記録制御手段により前記記号記録許可状態に切り替えられている状態で前記受信画像の各頁を前記記録用紙に記録する際に、前記記号検出手段の光源をオフさせた状態で前記受光センサから出力される信号を用いて外乱光の有無を判別する外乱光判別手段と、
前記記号記録制御手段により前記記号記録許可状態に切り替えられている状態では、前記受信手段により受信された最初の頁の画像情報を記録する際に前記外乱光判別手段により外乱光有りが判別されたときは、前記受信手段により受信される全ての頁の画像情報を前記記録手段で前記記録用紙に記録させるとともに前記画像情報記憶手段に記憶させ、前記受信手段により受信された各頁の画像情報を記録する際に前記外乱光判別手段により外乱光無しが判別されたときは、受信した画像情報のうち、最初の頁から前記信号検出手段により前記記録用紙に記録された前記記号が正常に検出できなかった頁までの各頁の画像情報を前記記録手段により前記記録用紙に記録させる一方、前記信号検出手段により前記記録用紙に記録された前記記号が正常に検出できなかった頁から各頁の画像情報を前記画像情報記憶手段に記憶させ、前記記号記録制御手段により前記記号記録禁止状態に切り替えられている状態では、常に前記受信手段により受信される全ての頁の画像情報を前記記録手段で前記記録用紙に記録させるとともに前記画像情報記憶手段に記憶させる記録・記憶制御手段と、
前記受信手段により受信される全ての頁の前記画像情報の前記記録用紙への記録と前記画像情報記憶手段への記憶の終了後に、前記記録手段による記録結果の良否を使用者に問い合わせるための表示を前記表示手段に表示させる第１の表示制御手段と、
前記第１の表示制御手段に基づく前記記録結果の良否を問い合わせるための表示に対して、使用者により前記記録結果が良好である旨の入力操作が行われたときに、前記記録・記憶制御手段による制御によって前記画像情報記憶手段に記憶された画像情報を消去する消去制御手段とを備えたことを特徴とする通信装置。
【請求項２】
前記記録材貯留手段は、ノズルを備えた印字ヘッドに着脱自在に設けられたインクカートリッジからなる、請求項１に記載の通信装置。
【発明の詳細な説明】
【０００１】
【発明の属する技術分野】
本発明は、画像通信可能で、かつ受信画像を記録用紙上に記録可能な通信装置に関するものである。
【０００２】
【従来の技術】
従来、インクジェット方式の印字装置を備えたファクシミリ装置においては、インク流路の詰まりによる記録不良に対処するため、記録用紙の後端部に、たとえば黒丸印などの記号を記録し、この記号を反射型の光電管などからなるセンサにより検出し、その検出結果に基づいて記録不良を判断して、その旨を表示装置の表示画面上に表示させたり、メモリ代行受信に切り替えるなどの処置を実行していた。
【０００３】
【発明が解決しようとする課題】
しかしながら、従来のファクシミリ装置では、外乱光の侵入により、センサが記号を誤検知し、それにより誤動作を生じるという課題があった。
【０００４】
このような問題を解消するために、外乱光を検出するセンサを設け、外乱光を検出するセンサと記号を検出するセンサとを用いて、それらのセンサによる検出結果に基づいて、受信した画像情報を単に記録したり、記録と同時にメモリにバックアップしたりすることが考えられる。
【０００５】
ところがこのようにした場合、メモリにバックアップした画像情報を、使用者がキースイッチなどを操作して、適当な時期にメモリから消去しないと、メモリがバックアップデータで埋まってしまい、新たに受信した画像情報をバックアップできない事態に陥ってしまう。しかし、受信した全ての画像情報がバックアップされるわけではないので、使用者にはメモリにどの程度の画像情報がバックアップされているのか判らない。したがって、メモリがバックアップデータで埋まってしまう事態を確実に回避するためには、メモリにどの程度の画像情報がバックアップされているのかを頻繁に使用者が調べる必要があり、たいへん面倒である。
【０００６】
本発明は、上記の点に鑑みて提案されたものであって、外乱光の侵入に対処できると同時に、画像情報記憶手段が画像情報で埋め尽くされるのを極力回避できる通信装置を提供することを目的としている。
【０００７】
【課題を解決するための手段】
上記目的を達成するため、請求項１に記載した発明の通信装置は、表示画面上に各種の情報を表示する表示手段と、記録材を貯留する記録材貯留手段と、通信回線を介して画像情報を受信する受信手段と、受信手段により受信された画像情報を記憶する画像情報記憶手段と、受信手段により受信された画像情報に基づく受信画像を、記録用紙を搬送しながら頁単位で記録材貯留手段に貯留された記録材を用いて記録用紙上の受信画像記録領域に記録するとともに、記録用紙上の受信画像記録領域外の所定の位置に、記録材貯留手段に貯留された記録材を用いて所定の記号を記録する記録手段と、記号が記録された記録用紙の搬送時に当該記号が対向する所定の位置に設けられ、光源から記号に光を照射するとともに、その反射光を受光センサで受光し、その受光信号に基づいて前記記号を検出する記号検出手段とを有する通信装置であって、使用者による指示操作に基づいて、記録手段による記号の記録を許可する記号記録許可状態と記録手段による記号の記録を禁止する記号記録禁止状態とに切り替える記号記録制御手段と、記号記録制御手段により記録許可状態に切り替えられている状態で受信画像の各頁を記録用紙に記録する際に、記号検出手段の光源をオフさせた状態で受光センサから出力される信号を用いて外乱光の有無を判別する外乱光判別手段と、記号記録制御手段により記号記録許可状態に切り替えられている状態では、受信手段により受信された最初の頁の画像情報を記録する際に外乱光判別手段により外乱光有りが判別されたときは、受信手段により受信される全ての頁の画像情報を記録手段で記録用紙に記録させるとともに画像情報記憶手段に記憶させ、受信手段により受信された各頁の画像情報を記録する際に外乱光判別手段により外乱光無しが判別されたときは、受信した画像情報のうち、最初の頁から信号検出手段により記録用紙に記録された記号が正常に検出できなかった頁までの各頁の画像情報を記録手段により記録用紙に記録させる一方、信号検出手段により記録用紙に記録された記号が正常に検出できなかった頁から各頁の画像情報を画像情報記憶手段に記憶させ、記号記録制御手段により記号記録禁止状態に切り替えられている状態では、常に受信手段により受信される全ての頁の画像情報を記録手段で記録用紙に記録させるとともに画像情報記憶手段に記憶させる記録・記憶制御手段と、受信手段により受信される全ての頁の画像情報の記録用紙への記録と画像情報記憶手段への記憶の終了後に、記録手段による記録結果の良否を使用者に問い合わせるための表示を表示手段に表示させる第１の表示制御手段と、第１の表示制御手段に基づく記録結果の良否を問い合わせるための表示に対して、使用者により記録結果が良好である旨の入力操作が行われたときに、記録・記憶制御手段による制御によって画像情報記憶手段に記憶された画像情報を消去する消去制御手段とを備えている。
【０００８】
この通信装置によれば、第１の表示制御手段が、記録・記憶制御手段により画像情報が画像情報記憶手段に記憶された場合、受信手段による画像情報の受信終了後に、記録手段による記録結果の良否を使用者に問い合わせるための表示を表示手段に表示させ、消去制御手段が、第１の表示制御手段に基づく記録結果の良否を問い合わせるための表示に対して、使用者により記録結果が良好である旨の入力操作が行われたときに、記録・記憶制御手段による制御によって画像情報記憶手段に記憶された画像情報を消去するので、外乱光の侵入に対処できると同時に、画像情報記憶手段が画像情報で埋め尽くされる事態を極力回避できる。特に、外乱光の侵入に起因して画像情報が画像情報記憶手段に記憶された場合にも、その事実を使用者が知ることができるので、使用者が頻繁に確認操作を行うことなく、受信した画像情報によって画像情報記憶手段の空き容量がなくなってしまうのを良好に回避できる。
【０００９】
記録材は、インクジェット方式のインクのように液体であってもよいし、固形インクを溶解して使用するタイプのものであってもよいし、電子写真方式のトナーのように粉体であってもよい。また、カラー記録可能なように複数色であってもよいし、モノクロ記録専用の１色であってもよい。
【００１０】
記録材貯留手段は、記録材交換の際に記録材貯留手段ごと交換されるカートリッジタイプであってもよいし、記録材のみを補給するタイプであってもよい。さらに、カラーの場合、複数色の記録材貯留手段が一体に構成されたものであってもよいし、各色毎に分離独立した構成であってもよい。
【００１１】
通信回線は、公衆回線であっても専用回線であってもよく、また有線であっても無線であってもよい。
【００１２】
画像情報記憶手段としては、たとえばＲＡＭを用いることができるが、これに限らず、フラッシュメモリやハードディスク装置などの他の記憶装置を用いてもよい。
【００１３】
所定の記号としては、たとえば黒丸印を用いることができるが、これに限るものではなく、その形状および色彩は任意である。ただし、画像情報を記録するための記録材と、記号を記録するための記録材とは、互いに同一の記録材貯留手段から同一の流路を通って供給されるので、当然に同一色である。
【００１４】
記録手段としては、たとえばインクジェット方式の印字装置を用いることができるが、これに限らず、液体、粉体、あるいは流動体などの記録材を用いて記録用紙上に画像を印字する印字装置であればよい。
【００１５】
記号検出手段としては、たとえば反射型の光電管が考えられるが、これに限るものではなく、記号からの反射光に基づいて記号を検出するものであればよい。
【００１６】
【００１７】
使用者による指示操作としては、たとえば所定の２個のキースイッチを同時に押下する操作が考えられるが、これに限るものではない。
【００１８】
通信装置としては、たとえばファクシミリ装置が考えられるが、これに限るものではなく、パーソナルコンピュータなどのコンピュータに接続されて、ファクシミリ送受信機能、プリンタ機能、イメージスキャナ機能、あるいはコピー機能などの複数の機能を有するいわゆる多機能周辺装置などであってもよい。
【００１９】
【００２０】
【００２１】
【００２２】
【００２３】
また、請求項２に記載した発明の通信装置は、請求項１に記載の通信装置であって、記録材貯留手段は、ノズルを備えた印字ヘッドに着脱自在に設けられたインクカートリッジからなる。
【００２４】
この通信装置によれば、請求項１に記載の通信装置による効果に加えて、インクジェット方式の印字装置を備えた本発明の通信装置を実現できる。
【００２５】
【００２６】
【００２７】
【００２８】
【発明の実施の形態】
以下、本発明の好ましい実施の形態を、図面を参照しつつ具体的に説明する。
【００２９】
図１は、本発明に係る通信装置の一例としてのファクシミリ装置の回路ブロック図であって、このファクシミリ装置は、ＣＰＵ（central processing unit ）１、ＮＣＵ（network control unit）２、ＲＡＭ（random access memory）３、モデム４、ＲＯＭ（read only memory）５、ＥＥＰＲＯＭ（electrically erasable and programmable read only memory ）６、ゲートアレイ７、コーデック８、ＤＭＡＣ（direct memory access controller）９、読取部１１、記録部１２、操作部１３、および表示部１４を備えている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線により相互に接続されている。バス線には、アドレスバス、データバス、および制御信号線が含まれる。ゲートアレイ７には、読取部１１、記録部１２、操作部１３、および表示部１４が接続されている。ＮＣＵ２には、通信回線の一例としての電話回線２１、モデム４、およびコーデック８が接続されている。記録部１２には、記録用紙の後端部に記録されたインクエンプティマークを検出するマークセンサ１５が設けられている。
【００３０】
ＣＰＵ１は、ファクシミリ装置全体を制御する。ＮＣＵ２は、電話回線１５に接続されて網制御を行う。ＲＡＭ３は、充電電池などの電池（図示せず）により電源バックアップが施されており、ファクシミリ受信データや留守番録音した音声データなどの各種のデータを記憶する。モデム４は、送信データの変調や受信データの復調などを行う。ＲＯＭ５は、各種のプログラムや初期設定値などのデータを記憶している。ＥＥＰＲＯＭ６は、各種のフラグや登録データなどを記憶する。ゲートアレイ７は、ＣＰＵ１の入出力インターフェイスとして機能するとともに、読取部１１からの読取画像信号に対してアナログ・ディジタル変換や各種の画像処理などを施す。コーデック８は、送信ファクシミリデータの符号化や受信ファクシミリデータの復号化を行うとともに、留守番電話モード時に、ＲＡＭ３に格納されている応答メッセージを構成するディジタルの音声データをアナログの音声信号に変換してＮＣＵ２に供給し、さらに、伝言メッセージを構成するＮＣＵ２からのアナログの音声信号をディジタルの音声データに変換してＲＡＭ３に格納する。ＤＭＡＣ９は、ＲＡＭ３へのデータの書き込みや読み出しを行う。
【００３１】
読取部１１は、光源やカラーＣＣＤ（charge coupled device ）イメージセンサや原稿送りモータなどを備えており、アナログのカラー画像信号を出力する。記録部１２は、たとえばインクジェット方式の印字装置を備えており、受信画像やコピー時の読取画像などを記録用紙上に記録する。この記録部１２の印字装置は、３色以上のカラーインクと黒色インクとを用いて画像の印字を行う構成であって、各色のインクを個別に貯留するインク貯留槽と、各色のインクを個別に記録用紙に向けて噴射する、各色毎に複数のノズルとを有する印字ヘッドが、主走査方向に移動することにより、各色のノズルの数に応じたライン数すなわち１バンド分の画像を同時に印字するようになされている。インク貯留槽は、インクカートリッジとして印字ヘッドに各色毎に着脱自在に設けられている。もちろん、黒色インクのみを用いたモノクロ印字も可能である。本実施形態では、受信画像の記録は黒色インクを用いたモノクロ印字を行うものとする。この記録部１２は、受信画像の記録に続いて、記録用紙の所定位置、すなわち記録用紙の受信画像記録領域後縁よりも後端部の有効記録領域に、黒インクのインク詰まりを検出するためのインクエンプティマークを印字する機能を有しているとともに、そのインクエンプティマークを検出するマークセンサ１５を備えている。このマークセンサ１５は、たとえば反射型の光電管により構成されており、インクエンプティマークを検出するのに用いられるとともに、外乱光を検出するのにも用いられる。インクエンプティマークは、たとえば小円形の黒塗り部分により構成されている。本実施形態では、インクエンプティマークの記録も、黒色インクを用いたモノクロ印字を行うものとする。操作部１３は、キースイッチ群などからなり、使用者の操作に応じた操作信号を出力する。表示部１４は、ＬＣＤ（liquid crystal display）などからなり、ＣＰＵ１により制御されて各種の表示を行う。また、記録部１２には、ＣＰＵ１により制御されて、インクカートリッジからノズルまでのインク流路を清掃する清掃手段が、各色毎に設けられている。この清掃手段は、たとえば、モータで駆動されるポンプにより、インク流路にインクを循環させる、周知の構成のものである。
【００３２】
すなわち、表示部１４は、表示画面上に各種の情報を表示する表示手段を構成している。記録部１２の印字ヘッドに設けられたインク貯留槽は、記録材を貯留する記録材貯留手段を構成している。ＮＣＵ２およびモデム４は、通信回線を介して画像情報を受信する受信手段を構成している。ＲＡＭ３は、受信手段により受信された画像情報を記憶する画像情報記憶手段を構成している。記録部１２は、受信手段により受信された画像情報に基づく受信画像を、記録材貯留手段に貯留された記録材を用いて記録用紙上の受信画像記録領域に記録するとともに、記録用紙上の受信画像記録領域外の所定の位置に、記録材貯留手段に貯留された記録材を用いて所定の記号を記録する記録手段を構成している。マークセンサ１５は、光源から記号に光を照射するとともに、その反射光を受光センサで受光し、その受光信号に基づいて記号を検出する検出手段を構成している。ＣＰＵ１は、ＲＯＭ５に格納されたプログラムに基づいて動作することにより、使用者による指示操作に基づいて、記録手段による記号の記録を許可する記号記録許可状態と記録手段による記号の記録を禁止する記号記録禁止状態とに切り替える記号記録制御手段を実現している。また、ＣＰＵ１は、記号記録制御手段により記録許可状態に切り替えられている状態で受信画像の各頁を記録用紙に記録する際に、記号検出手段の光源をオフさせた状態で受光センサから出力される信号を用いて外乱光の有無を判別する外乱光判別手段を実現している。さらにＣＰＵ１は、ＲＯＭ５に格納されたプログラムに基づいて動作することにより、記号記録許可状態では受信手段により受信された最初の頁の画像情報を記録する際に外乱光有りが判別されたときは、受信手段により受信される全ての頁の画像情報を記録手段で記録用紙に記録させるとともに画像情報記憶手段に記憶させ、受信手段により受信された各頁の画像情報を記録する際に外乱光判別手段により外乱光無しが判別されたときは、受信した画像情報のうち、最初の頁から前記信号検出手段により記録用紙に記録された記号が正常に検出できなかった頁までの各頁の画像情報を記録手段により記録用紙に記録させる一方、信号検出手段により記録用紙に記録された記号が正常に検出できなかった頁から各頁の画像情報を画像情報記憶手段に記憶させ、記号記録禁止状態では、常に受信手段により受信される全ての頁の画像情報を記録手段で記録用紙に記録させるとともに画像情報記憶手段に記憶させる記録・記憶制御手段を実現している。さらにＣＰＵ１は、ＲＯＭ５に格納されたプログラムに基づいて動作することにより、受信手段により受信される全ての頁の画像情報の記録用紙への記録と画像情報記憶手段への記憶の終了後に、記録手段による記録結果の良否を使用者に問い合わせるための表示を表示手段に表示させる第１の表示制御手段を実現している。
【００３３】
さらにＣＰＵ１は、ＲＯＭ５に格納されたプログラムに基づいて動作することにより、第１の表示制御手段に基づく記録結果の良否を問い合わせるための表示に対して、使用者により記録結果が良好である旨の入力操作が行われたときに、画像情報記憶手段に記憶された画像情報を消去する消去制御手段を実現している。
【００３４】
【００３５】
次に、このように構成されたファクシミリ装置の動作の要点について説明する。このファクシミリ装置は、ＥＥＰＲＯＭ６に記憶されているマークフラグとバックアップフラグとの組み合わせに応じて、ファクシミリ受信時の動作が決定される。これらマークフラグおよびバックアップフラグは、操作部１３の操作により、オンとオフとを交互に切り替えることができる。たとえば、操作部１３に備えられた所定の２個のキースイッチを同時に押下することにより、マークフラグがオンからオフに、あるいはオフからオンに切り替わる。バックアップフラグも同様に、別の２個のキースイッチを同時に押下することにより、バックアップフラグがオンからオフに、あるいはオフからオンに切り替わる。但し、マークフラグの切り替え操作は、取扱説明書などにより全ての使用者に対して公開されているが、バックアップフラグの切り替え操作は、個別に請求のあった特定の使用者にのみ開示される。これは、受信データのバックアップを要求しない使用者は極めて少数であると考えられるからである。ファクシミリ装置の工場出荷時点では、マークフラグおよびバックアップフラグは双方ともにオンに設定されている。
【００３６】
マークフラグとバックアップフラグとが双方ともにオンすなわち「１」の場合、着信時にマークセンサ１５への外乱光の侵入がなければ、記録部１２により記録用紙上の受信画像記録領域に黒インクにより受信画像を記録するとともに、記録用紙上の受信画像記録領域外の後端部の所定位置に黒インクによりインクエンプティマークを記録する。そして、マークセンサ１５によりインクエンプティマークを検出し、正常に検出できれば、受信データの各頁毎に外乱光の有無を確認しながら、同様の動作を最終頁まで繰り返す。なお、外乱光の侵入があれば、インクエンプティマークが正常に記録されているにも係わらず、検知できない可能性がある。
【００３７】
外乱光の侵入が無いにも係わらず、インクエンプティマークを正常に検出できなければ、その頁から代行受信に切り替え、記録部１２による記録を行わずに、受信データをバックアップデータとしてＲＡＭ３に格納する。そして、受信終了後に、黒インクのインク流路を清掃すべき旨の表示を、表示部１４の表示画面上に表示する。使用者により黒インクのインク流路を清掃するための操作が操作部１３に対して行われれば、自動的に黒インクのインク流路を清掃し、その後に、代行受信したバックアップデータをインクエンプティマークとともに自動的に記録部１２により記録する。このとき、全ての頁のインクエンプティマークを正常に検出できれば、自動的に記録したバックアップデータをＲＡＭ３から消去する。インクエンプティマークを正常に検出できなかった頁があれば、記録が正常に行われたか否かを使用者に問い合わせるための表示を、表示部１４の表示画面上に表示する。使用者により、記録が正常に行われた旨の入力操作が操作部１３に対して行われれば、代行受信してＲＡＭ３に格納したバックアップデータを消去する。
【００３８】
受信データの記録中に外乱光を検出すれば、次の頁から代行受信に切り替え、記録部１２による記録を行わずに、受信データをバックアップデータとしてＲＡＭ３に格納する。そして、受信終了後、ＲＡＭ３に格納したバックアップデータをインクエンプティマークとともに自動的に記録部１２により記録する。このとき、全ての頁のインクエンプティマークを正常に検出できれば、自動的に記録したバックアップデータをＲＡＭ３から消去する。
【００３９】
着信時にマークセンサ１５への外乱光の侵入があれば、受信データをインクエンプティマークとともに全頁にわたって記録部１２により記録すると同時に、バックアップデータとしてＲＡＭ３に格納する。そして受信終了後に、記録が正常に行われたか否かを使用者に問い合わせるための表示を、表示部１４の表示画面上に表示する。使用者により、記録が正常に行われた旨の入力操作が操作部１３に対して行われれば、記録と同時にＲＡＭ３に格納したバックアップデータを消去する。使用者により、記録が正常に行われなかった旨の入力操作が操作部１３に対して行われれば、記録と同時にＲＡＭ３に格納したバックアップデータを消去せずに、そのまま残しておく。
【００４０】
マークフラグがオンすなわち「１」で、バックアップフラグがオフすなわち「０」の場合、着信時にマークセンサ１５への外乱光の侵入がなければ、記録部１２により記録用紙上の受信画像記録領域に黒インクにより受信画像を記録するとともに、記録用紙上の所定位置に黒インクによりインクエンプティマークを記録する。そして、マークセンサ１５によりインクエンプティマークを検出し、正常に検出できれば、受信データの各頁毎に外乱光の有無を確認しながら、同様の動作を最終頁まで繰り返す。
【００４１】
外乱光の侵入が無いにも係わらず、インクエンプティマークを正常に検出できなければ、その頁から代行受信に切り替え、記録部１２による記録を行わずに、受信データをバックアップデータとしてＲＡＭ３に格納する。そして、受信終了後に、黒インクのインク流路を清掃すべき旨の表示を、表示部１４の表示画面上に表示する。使用者により黒インクのインク流路を清掃するための操作が操作部１３に対して行われれば、自動的に黒インクのインク流路を清掃し、その後に、代行受信したバックアップデータをインクエンプティマークとともに自動的に記録部１２により記録する。このとき、全ての頁のインクエンプティマークを正常に検出できれば、自動的に記録したバックアップデータをＲＡＭ３から消去する。インクエンプティマークを正常に検出できなかった頁があれば、記録が正常に行われたか否かを使用者に問い合わせるための表示を、表示部１４の表示画面上に表示する。使用者により、記録が正常に行われた旨の入力操作が操作部１３に対して行われれば、代行受信してＲＡＭ３に格納したバックアップデータを消去する。
【００４２】
受信データの記録中に外乱光を検出すれば、次の頁からインクエンプティマークの検出を行わずに、記録部１２による受信データおよびインクエンプティマークの記録を最終頁まで続行する。このとき、バックアップは行わない。
【００４３】
着信時にマークセンサ１５への外乱光の侵入があれば、受信データおよびインクエンプティマークを全頁にわたって記録部１２により記録する。このとき、インクエンプティマークの検出を行わず、バックアップも行わない。
【００４４】
マークフラグがオフすなわち「０」で、バックアップフラグがオンすなわち「１」の場合、外乱光の侵入の有無に係わらず、受信データを全頁にわたって記録部１２により記録すると同時に、バックアップデータとしてＲＡＭ３に格納する。このとき、インクエンプティマークの記録は行わない。そして受信終了後に、記録が正常に行われたか否かを使用者に問い合わせるための表示を、表示部１４の表示画面上に表示する。使用者により、記録が正常に行われた旨の入力操作が操作部１３に対して行われれば、記録と同時にＲＡＭ３に格納したバックアップデータを消去する。使用者により、記録が正常に行われなかった旨の入力操作が操作部１３に対して行われれば、記録と同時にＲＡＭ３に格納したバックアップデータを消去せずに、そのまま残しておく。
【００４５】
マークフラグとバックアップフラグとの双方がオフすなわち「０」のときは、外乱光の侵入の有無に係わらず、受信データを全頁にわたって記録部１２により記録する。このとき、インクエンプティマークの記録は行わない。また、バックアップも行わない。
【００４６】
そして、使用者が操作部１３に対して所定のキー操作を行えば、記録部１２に設けられた清掃手段がＣＰＵ１により制御されて作動する。この清掃手段は、使用者の操作以外にも、ファクシミリ装置の電源がオンの期間に、所定時間毎に作動するし、インクカートリッジを交換したときにも作動する。清掃手段による清掃の終了後、マークフラグがオンであれば、ＲＡＭ３に記憶されているバックアップデータが、記録部１２により記録される。ＲＡＭ３にバックアップデータが格納されていなければ、当然、記録は行われない。そして、記録中に、全ての頁にわたって、インクエンプティマークを正常に読み取ることができれば、記録したバックアップデータをＲＡＭ３から全て消去する。また、記録中に、インクエンプティマークを正常に読み取ることができなかった頁が存在するか、あるいは外乱光が侵入すれば、使用者に消去の可否を問い合わせるための表示を表示部１４の表示画面上に表示させる。使用者が記録された画像を確認して、消去を許す旨の入力操作を行えば、記録したバックアップデータをＲＡＭ３から全て消去する。使用者が消去を許さない旨の入力操作を行えば、記録したバックアップデータをＲＡＭ３から消去しない。なお、清掃手段による清掃の終了後、マークフラグがオフであれば、ＲＡＭ３に記憶されているバックアップデータの記録は行われない。
【００４７】
上記の動作について、さらに詳細に述べる。
【００４８】
先ず、受信処理の手順について、図２に示すフローチャートを参照しながら説明する。ＣＰＵ１が、呼び出しの有無を判断する（Ｓ１）。具体的には、ＣＰＵ１が、ＮＣＵ２を監視することにより、電話回線２１を介して交換局から呼び出し信号が入力されたかどうかを調べる。
【００４９】
呼び出しがあれば（Ｓ１：ＹＥＳ）、ＣＰＵ１が、ＮＣＵ２を制御して回線を閉結させる（Ｓ２）。そしてＣＰＵ１が、ファクシミリ受信であるか否かを判断する（Ｓ３）。具体的には、電話回線２１とＮＣＵ２とを介してモデム４に入力され、モデム４により復調されたデータを監視して、受信情報がファクシミリ通信情報であるかどうかを調べる。
【００５０】
ファクシミリ受信であれば（Ｓ３：ＹＥＳ）、ＣＰＵ１が、マークフラグがオンであるか否かを判断する（Ｓ４）。具体的には、ＣＰＵ１が、ＥＥＰＲＯＭ６の所定領域に格納されているマークフラグを読み出し、その内容が「１」であるかどうかを調べる。このマークフラグは、インクエンプティマークを使用するか否かを表すものであって、工場からの出荷段階ではオンに設定されており、使用者が操作部１３に所定のキー操作を施すことにより、オン状態とオフ状態とを切り換えることができる。
【００５１】
マークフラグがオンであれば（Ｓ４：ＹＥＳ）、ＣＰＵ１が、バックアップフラグがオンであるか否かを判断する（Ｓ５）。具体的には、ＣＰＵ１が、ＥＥＰＲＯＭ６の所定領域に格納されているバックアップフラグを読み出し、その内容が「１」であるかどうかを調べる。このバックアップフラグは、所定の条件下でファクシミリ受信データをＲＡＭ３に格納するか否かを表すものであって、工場からの出荷段階ではオンに設定されており、操作部１３に所定のキー操作を施すことにより、オン状態とオフ状態とを切り換えることが可能ではあるが、個々の使用者から要望があった場合にのみ、そのためのキー操作を個別に開示する。
【００５２】
バックアップフラグがオンであれば（Ｓ５：ＹＥＳ）、ＣＰＵ１が、第１の制御を実行し（Ｓ６）、このルーチンを終了する。この第１の制御の具体的内容については後述する。
【００５３】
Ｓ５において、バックアップフラグがオンでなければ（Ｓ５：ＮＯ）、ＣＰＵ１が、第２の制御を実行し（Ｓ７）、このルーチンを終了する。この第２の制御の具体的内容については後述する。
【００５４】
Ｓ４において、マークフラグがオンでなければ（Ｓ４：ＮＯ）、ＣＰＵ１が、バックアップフラグがオンであるか否かを判断する（Ｓ８）。
【００５５】
バックアップフラグがオンであれば（Ｓ８：ＹＥＳ）、ＣＰＵ１が、第３の制御を実行し（Ｓ９）、このルーチンを終了する。この第３の制御の具体的内容については後述する。
【００５６】
Ｓ８において、バックアップフラグがオンでなければ（Ｓ８：ＮＯ）、ＣＰＵ１が、第４の制御を実行し（Ｓ１０）、このルーチンを終了する。この第４の制御の具体的内容については後述する。
【００５７】
Ｓ３において、ファクシミリ受信でなければ（Ｓ３：ＮＯ）、音声信号の受信であるので、ＣＰＵ１が、音声処理を実行して（Ｓ１１）、このルーチンを終了する。この音声処理は、たとえば留守番電話モードの場合、ＲＡＭ３に格納されている応答メッセージに対応するディジタルの音声データを読み出してコーデック８にアナログの音声信号に変換させ、ＮＣＵ２を介して電話回線２１に送出するとともに、電話回線２１を介してＮＣＵ２に入力された伝言メッセージに対応するアナログの音声信号をコーデック８によりディジタルの音声データに変換させてＲＡＭ３に格納するという制御であるが、これらについては周知であるので、具体的な説明を省略する。
【００５８】
Ｓ１において、呼び出しがなければ（Ｓ１：ＮＯ）、Ｓ１に戻って呼び出しがあるのを待つ。
【００５９】
図３および図４は、図２のＳ６における第１の制御処理の手順を説明するフローチャートであって、第１の制御処理に際しては、先ずＣＰＵ１が、外乱光の有無を判断する（Ｓ２１）。具体的には、ＣＰＵ１が、マークセンサ１５による検出位置に記録用紙が存在しておらず、かつマークセンサ１５の発光ダイオードなどの光源をオフさせた状態で、マークセンサ１５からの検出出力を監視し、検出出力が所定値を越えていないかどうかを調べる。
【００６０】
外乱光が存在しなければ（Ｓ２１：ＮＯ）、ＣＰＵ１が、ドットカウンタのカウント値が所定値以下であるか否かを判断する（Ｓ２２）。具体的には、ＣＰＵ１が、黒インクに対応するドットカウンタのカウント値をＥＥＰＲＯＭ６から読み出して、その値が第２の閾値以下であるかどうかを調べる。ドットカウンタは、たとえばＣＰＵ１が記録部１２に供給する印字データを監視して、各色のインク毎に、インクを噴出したドット数の累積値を演算して、ＥＥＰＲＯＭ６に格納することにより実現される。これらドットカウンタのカウント値は、インクカートリッジの交換の度に自動的にリセットされる。そして、これらドットカウンタのカウント値は、第１の閾値と第２の閾値とを用いて管理されており、たとえば黒インクに対応するカウント値が第１の閾値を越えれば、ＣＰＵ１が、表示部１４の表示画面上に、黒インクが残り少なくなった旨を表示させる。また、第１の閾値よりも大きな第２の閾値を越えれば、ＣＰＵ１が、表示部１４の表示画面上に、黒インクが無くなった旨を表示させるとともに、黒インクによる記録を禁止する。
【００６１】
ドットカウンタのカウント値が所定値以下であれば（Ｓ２２：ＹＥＳ）、ＣＰＵ１が、受信データを記録させる（Ｓ２３）。具体的には、ＣＰＵ１が、モデム４により復調されてコーデック８により復合化された受信データを、ゲートアレイ７を介して記録部１２に供給し、１バンド分の受信画像を黒インクにより記録用紙上に印字させる。ここで、１バンドとは、多数のノズルを備えた印字ヘッドが主走査方向に１回移動することにより記録される副走査方向の幅をいう。
【００６２】
そしてＣＰＵ１が、１頁分の記録が終了したか否かを判断する（Ｓ２４）。
【００６３】
１頁分の記録が終了していれば（Ｓ２４：ＹＥＳ）、ＣＰＵ１が、記録部１２を制御して、記録用紙上の所定位置にインクエンプティマークを記録させる（Ｓ２５）。そしてＣＰＵ１が、インクエンプティマークを読み取る（Ｓ２６）。具体的には、ＣＰＵ１が、記録用紙上のインクエンプティマークがマークセンサ１５による検出位置に到達した時点で、マークセンサ１５からゲートアレイ７を介して入力された検出データの値を調べる。そしてＣＰＵ１が、インクエンプティマークが正常に読み取れたか否かを判断する（Ｓ２７）。具体的には、ＣＰＵ１が、Ｓ２６で読み取った検出データの値が所定値未満であるかどうかを調べる。
【００６４】
インクエンプティマークが正常に読み取れれば（Ｓ２７：ＹＥＳ）、ＣＰＵ１が、受信データの記録が全頁にわたって終了したか否かを判断する（Ｓ２８）。
【００６５】
受信データの記録が全頁にわたって終了していなければ（Ｓ２８：ＮＯ）、すなわち次に記録すべき頁が存在すれば、ＣＰＵ１が、外乱光の有無を判断する（Ｓ２９）。
【００６６】
外乱光が有れば（Ｓ２９：ＹＥＳ）、ＣＰＵ１が、メモリフルであるか否かを判断する（Ｓ３０）。具体的には、ＣＰＵ１が、ＲＡＭ３の空き容量が所定値以上であるかどうかを調べる。
【００６７】
メモリフルでなければ（Ｓ３０：ＮＯ）、ＣＰＵ１が、受信データをバックアップデータとしてＲＡＭ３に格納する（Ｓ３２）。具体的には、ＣＰＵ１が、モデム４により復調されてコーデック８により復合化された受信データを、ＤＭＡＣ９により所定バイトずつＲＡＭ３に格納させる。すなわち、受信の途中で外乱光が侵入した場合には、その頁から記録を中止し、メモリ代行受信に切り換えるのである。このようにＲＡＭ３に受信データをバックアップデータとして記憶させる場合、その受信データの発信元や受信時刻などの各種の情報とともに、その受信データが記録済であるか未記録であるかの情報を、ＲＡＭ３の所定領域に格納しておき、後にその受信データを記録した場合には、未記録から記録済に情報を書き換える。そしてＣＰＵ１が、１頁分の受信データがＲＡＭ３に格納されたか否かを判断する（Ｓ３３）。
【００６８】
１頁分の受信データがＲＡＭ３に格納されていれば（Ｓ３３：ＹＥＳ）、ＣＰＵ１が、全頁の受信データがＲＡＭ３に格納されたか否かを判断する（Ｓ３４）。
【００６９】
全頁の受信データがＲＡＭ３に格納されていれば（Ｓ３４：ＹＥＳ）、ＣＰＵ１が、回線を開放させる（Ｓ３５）。具体的には、ＣＰＵ１が、ＮＣＵ２を制御して、電話回線２１を開放させる。そしてＣＰＵ１が、ドットカウンタのカウント値が所定値以下であるか否かを判断する（Ｓ３６）。
【００７０】
ドットカウンタのカウント値が所定値以下であれば（Ｓ３６：ＹＥＳ）、ＣＰＵ１が、Ｓ３２においてＲＡＭ３に格納したバックアップデータを記録させる（Ｓ３７）。具体的には、ＣＰＵ１が、ＲＡＭ３に格納されているバックアップデータを読み出し、ゲートアレイ７を介して記録部１２に供給し、１バンド分の受信画像を黒インクにより記録用紙上に印字させる。
【００７１】
そしてＣＰＵ１が、１頁分の記録が終了したか否かを判断する（Ｓ３８）。
【００７２】
１頁分の記録が終了していれば（Ｓ３８：ＹＥＳ）、ＣＰＵ１が、記録部１２を制御して、記録用紙上の所定位置にインクエンプティマークを記録させる（Ｓ３９）。そしてＣＰＵ１が、インクエンプティマークを読み取る（Ｓ４０）。そしてＣＰＵ１が、インクエンプティマークが正常に読み取れたか否かを判断する（Ｓ４１）。
【００７３】
インクエンプティマークが正常に読み取れなければ（Ｓ４１：ＮＯ）、ＣＰＵ１が、フラグＡの内容を「１」にする（Ｓ４２）。具体的には、ＣＰＵ１が、ＥＥＰＲＯＭ６の所定領域からフラグＡを読み出し、その内容が「０」であれば「１」を書き込み、「１」であればそのままにする。このフラグＡは、代行受信した受信データの記録中にインクエンプティマークが正常に読み取れたか否かを表すものであって、ＥＥＰＲＯＭ６の所定領域に記憶されている。なお、フラグＡの初期値は「０」である。そしてＣＰＵ１が、代行受信した受信データの記録が全頁にわたって終了したか否かを判断する（Ｓ４３）。
【００７４】
受信データの記録が全頁にわたって終了していれば（Ｓ４３：ＹＥＳ）、ＣＰＵ１が、フラグＡの内容が「０」であるか否かを判断する（Ｓ４４）。フラグＡの内容が「０」でなければ（Ｓ４４：ＮＯ）、インクエンプティマークを正常に読み取れなかったことが少なくとも１回はあったということであり、代行受信した受信データが正常に記録されなかった恐れがあるので、代行受信した受信データをＲＡＭ３から消去せずに、ＣＰＵ１が、フラグＡの内容を「０」にし（Ｓ４５）、このルーチンを終了する。
【００７５】
Ｓ４４において、フラグＡの内容が「０」であれば（Ｓ４４：ＹＥＳ）、インクエンプティマークを全頁にわたって正常に読み取れたということであり、代行受信した受信データが正常に記録されたと考えられるので、ＣＰＵ１が、本件バックアップデータを消去して（Ｓ４６）、このルーチンを終了する。具体的には、ＣＰＵ１が、代行受信した受信データをＲＡＭ３から消去する。
【００７６】
Ｓ４３において、受信データの記録が全頁にわたって終了していなければ（Ｓ４３：ＮＯ）、すなわち次に記録すべき頁が存在すれば、Ｓ３６に戻って記録の前処理を開始する。
【００７７】
Ｓ４１において、インクエンプティマークを正常に読み取れれば（Ｓ４１：ＹＥＳ）、フラグＡを「１」にする必要が無いので、Ｓ４２を飛ばしてＳ４３に進む。
【００７８】
Ｓ３８において、１頁分の記録が終了していなければ（Ｓ３８：ＮＯ）、Ｓ３７に戻って記録を続行する。
【００７９】
Ｓ３６において、ドットカウンタのカウント値が所定値以下でなければ（Ｓ３６：ＮＯ）、ＣＰＵ１が、記録部１２の表示画面上に黒インクのインク切れである旨を表示させる（Ｓ４７）。そしてＣＰＵ１が、記録禁止モードを設定して（Ｓ４８）、Ｓ４５に進む。記録禁止モードが設定されると、ファクシミリデータを受信した場合、全てメモリ代行受信になり、ＲＡＭ３内の全ての記録済バックアップデータを消去しても空きメモリ容量が所定値を越えない状態になれば、ファクシミリデータの受信を拒否する。この記録禁止モードは、使用者による黒インクのカートリッジ交換後に自動的に実行される黒インクのインク流路のクリーニングにより解除される。
【００８０】
Ｓ３４において、全頁の受信データがＲＡＭ３に格納されていなければ（Ｓ３４：ＮＯ）、すなわち次に格納すべき頁の受信データが存在すれば、Ｓ３０に戻って受信データの記憶の前処理を開始する。
【００８１】
Ｓ３３において、１頁分の受信データがＲＡＭ３に格納されていなければ（Ｓ３３：ＮＯ）、Ｓ３２に戻って受信データの記憶を継続する。
【００８２】
Ｓ３０において、メモリフルであれば（Ｓ３０：ＹＥＳ）、バックアップできないのでＳ３５に進む。
【００８３】
Ｓ２９において、外乱光が無ければ（Ｓ２９：ＮＯ）、Ｓ２２に戻って記録の前処理を開始する。
【００８４】
Ｓ２８において、受信データの記録が全頁にわたって終了していれば（Ｓ２８：ＹＥＳ）、ＣＰＵ１が、回線を開放させる（Ｓ４９）。そして、ＣＰＵ１が、記録済のバックアップデータを全て消去し（Ｓ５０）、このルーチンを終了する。具体的には、ＣＰＵ１が、受信データが記録済みであるか未記録であるかの情報をＲＡＭ３から読み出し、それらの受信データが記録済であるか未記録であるかを個々に判断し、記録済のものを全てＲＡＭ３から消去する。
【００８５】
Ｓ２７において、インクエンプティマークを正常に読み取れなければ（Ｓ２７：ＮＯ）、外乱光が無いのにも係わらずインクエンプティマークを正常に読み取れないことから、インク詰まりであると判断できるので、ＣＰＵ１が、インク詰まり処理を実行し（Ｓ５１）、このルーチンを終了する。このインク詰まり処理の詳細については、後述する。
【００８６】
Ｓ２４において、１頁分の記録が終了していなければ（Ｓ２４：ＮＯ）、Ｓ２３に戻って記録を続行する。
【００８７】
Ｓ２２において、ドットカウンタのカウント値が所定値以下でなければ（Ｓ２２：ＮＯ）、黒インクのインク切れであるので、ＣＰＵ１が、インク切れ処理を実行し（Ｓ５２）、このルーチンを終了する。このインク切れ処理の詳細については、後述する。
【００８８】
Ｓ２１において、外乱光が存在していれば（Ｓ２１：ＹＥＳ）、ＣＰＵ１が、メモリフルであるか否かを判断する（Ｓ５３）。
【００８９】
メモリフルでなければ（Ｓ５３：ＮＯ）、ＣＰＵ１が、ドットカウンタのカウント値が所定値以下であるか否かを判断する（Ｓ５５）。
【００９０】
ドットカウンタのカウント値が所定値以下であれば（Ｓ５５：ＹＥＳ）、ＣＰＵ１が、受信データを記録させると同時に記憶させる（Ｓ５６）。具体的には、ＣＰＵ１が、モデム４により復調されてコーデック８により復合化された受信データを、ゲートアレイ７を介して記録部１２に供給し、記録部１２により記録用紙上に受信画像を記録させるとともに、ＤＭＡＣ９により所定バイトずつＲＡＭ３に格納させる。そしてＣＰＵ１が、１頁分の受信データが記録されかつ記憶されたか否かを判断する（Ｓ５７）。
【００９１】
１頁分の受信データが記録されかつ記憶されていれば（Ｓ５７：ＹＥＳ）、ＣＰＵ１が、記録部１２を制御して記録用紙上の所定位置にインクエンプティマークを記録させる（Ｓ５８）。そしてＣＰＵ１が、全頁の受信データが記録されかつ記憶されたか否かを判断する（Ｓ５９）。
【００９２】
全頁の受信データが記録されかつ記憶されていれば（Ｓ５９：ＹＥＳ）、ＣＰＵ１が、回線を開放させる（Ｓ６０）。そしてＣＰＵ１が、記録結果問い合わせ処理を実行し（Ｓ６１）、このルーチンを終了する。この記録結果問い合わせ処理の詳細については、後述する。
【００９３】
Ｓ５９において、全頁の受信データが記録されかつ記憶されていなければ（Ｓ５９：ＮＯ）、すなわち次に記録かつ記憶すべき頁の受信データが存在すれば、Ｓ５３に戻って次頁の記録および記憶の前処理を開始する。
【００９４】
Ｓ５７において、１頁分の受信データが記録されかつ記憶されていなければ（Ｓ５７：ＮＯ）、Ｓ５６に戻って受信データの記録および記憶を継続する。
【００９５】
Ｓ５５において、ドットカウンタのカウント値が所定値以下でなければ（Ｓ５５：ＮＯ）、黒インクのインク切れであるので、ＣＰＵ１が、インク切れ処理を実行し（Ｓ６２）、このルーチンを終了する。このインク切れ処理の詳細については、後述する。
【００９６】
Ｓ５３において、メモリフルであれば（Ｓ５３：ＹＥＳ）、ＣＰＵ１が、受信データが記録済みであるか未記録であるかの情報をＲＡＭ３から読み出し、ＲＡＭ３に記録済のバックアップデータが格納されているか否かを判断する（Ｓ６３）。ＲＡＭ３に記録済のバックアップデータが格納されていれば（Ｓ６３：ＹＥＳ）、ＣＰＵ１が、記録済のバックアップデータをＲＡＭ３から１件消去し（Ｓ６４）、Ｓ５３に戻る。ＲＡＭ３に記録済のバックアップデータが格納されていなければ（Ｓ６３：ＮＯ）、ＣＰＵ１が、ＮＣＵ２を制御して回線を開放させ（Ｓ６５）、このルーチンを終了する。
【００９７】
このように、マークフラグとバックアップフラグとの双方がオンの場合、着信時に外乱光が無ければ、インクエンプティマークを記録し、そのインクエンプティマークが正しく読み取れるかどうかを確認しながら、受信データを記録していく。全頁にわたってインクエンプティマークが正しく読み取れれば、インク詰まりが発生していないものと考えられるので、ＲＡＭ３に記憶している記録済のバックアップデータが存在すれば、それらを全て消去する。
【００９８】
外乱光が無いにも係わらずインクエンプティマークが正常に読み取れなければ、インク詰まりが発生したものとして、代行受信に切り換える。
【００９９】
記録の途中で外乱光が侵入すれば、代行受信に切り換え、受信終了後に自動的に記録する。このようにしたのは、記録の途中で侵入した外乱光は、継続性が小さいと考えられ、受信終了後には外乱光が無くなっている可能性が高いからである。
【０１００】
着信時に外乱光が存在すれば、最初の頁からバックアップしながら記録する。このようにしたのは、外乱光が存在すれば、インクエンプティマークを正常に読み取れないからである。
【０１０１】
図５は、図２のＳ７における第２の制御処理の手順を説明するフローチャートであって、第２の制御処理に際しては、先ずＣＰＵ１が、外乱光の有無を判断する（Ｓ７１）。
【０１０２】
外乱光が存在しなければ（Ｓ７１：ＮＯ）、ＣＰＵ１が、ドットカウンタのカウント値が所定値以下であるか否かを判断する（Ｓ７２）。
【０１０３】
ドットカウンタのカウント値が所定値以下であれば（Ｓ７２：ＹＥＳ）、ＣＰＵ１が、受信データを記録させる（Ｓ７３）。そしてＣＰＵ１が、１頁分の記録が終了したか否かを判断する（Ｓ７４）。
【０１０４】
１頁分の記録が終了していれば（Ｓ７４：ＹＥＳ）、ＣＰＵ１が、記録部１２を制御して、記録用紙上の所定位置にインクエンプティマークを記録させる（Ｓ７５）。そしてＣＰＵ１が、インクエンプティマークを読み取る（Ｓ７６）。そしてＣＰＵ１が、インクエンプティマークが正常に読み取れたか否かを判断する（Ｓ７７）。
【０１０５】
インクエンプティマークが正常に読み取れれば（Ｓ７７：ＹＥＳ）、ＣＰＵ１が、受信データの記録が全頁にわたって終了したか否かを判断する（Ｓ７８）。
【０１０６】
受信データの記録が全頁にわたって終了していれば（Ｓ７８：ＹＥＳ）、ＣＰＵ１が、回線を開放し（Ｓ７９）、このルーチンを終了する。
【０１０７】
Ｓ７８において、受信データの記録が全頁にわたって終了していなければ（Ｓ７８：ＮＯ）、すなわち次に記録すべき頁の受信データが存在すれば、Ｓ７１に戻って次頁の記録の前処理を開始する。
【０１０８】
Ｓ７７において、インクエンプティマークが正常に読み取れなければ（Ｓ７７：ＮＯ）、ＣＰＵ１が、インク詰まり処理を実行し（Ｓ８０）、このルーチンを終了する。このインク詰まり処理の詳細については、後述する。
【０１０９】
Ｓ７４において、１頁分の記録が終了していなければ（Ｓ７４：ＮＯ）、Ｓ７３に戻って記録を続行する。
【０１１０】
Ｓ７２において、ドットカウンタのカウント値が所定値以下でなければ（Ｓ７２：ＮＯ）、黒インクのインク切れであるので、ＣＰＵ１が、インク切れ処理を実行し（Ｓ８１）、このルーチンを終了する。このインク切れ処理の詳細については、後述する。
【０１１１】
Ｓ７１において、外乱光が存在していれば（Ｓ７１：ＹＥＳ）、ＣＰＵ１が、ドットカウンタのカウント値が所定値以下であるか否かを判断する（Ｓ８２）。
【０１１２】
ドットカウンタのカウント値が所定値以下であれば（Ｓ８２：ＹＥＳ）、ＣＰＵ１が、受信データを記録させる（Ｓ８３）。そしてＣＰＵ１が、１頁分の受信データが記録されたか否かを判断する（Ｓ８４）。
【０１１３】
１頁分の受信データが記録されていれば（Ｓ８４：ＹＥＳ）、ＣＰＵ１が、記録部１２を制御して記録用紙上の所定位置にインクエンプティマークを記録させる（Ｓ８５）。そしてＣＰＵ１が、全頁の受信データが記録されたか否かを判断する（Ｓ８６）。
【０１１４】
全頁の受信データが記録されていれば（Ｓ８６：ＹＥＳ）、Ｓ７９に進んで回線を開放させる。
【０１１５】
Ｓ８６において、全頁の受信データが記録されていなければ（Ｓ８６：ＮＯ）、すなわち次に記録すべき頁の受信データが存在すれば、Ｓ８２に戻って次頁の記録の前処理を開始する。
【０１１６】
Ｓ８４において、１頁分の受信データが記録されていなければ（Ｓ８４：ＮＯ）、Ｓ８３に戻って記録を継続する。
【０１１７】
Ｓ８２において、ドットカウンタのカウント値が所定値以下でなければ（Ｓ８２：ＮＯ）、ＣＰＵ１が、インク切れ処理を実行し（Ｓ８７）、このルーチンを終了する。このインク切れ処理の詳細については、後述する。
【０１１８】
このように、マークフラグがオンで、バックアップフラグがオフの場合、外乱光の有無に係わらず、バックアップせずに記録する。そして、外乱光がないにも係わらずインクエンプティマークが正常に読み取れなかった場合にのみ、代行受信に切り換える。このようにしたのは、バックアップを希望せずに敢えてバックアップフラグをオフに設定した使用者の意思を尊重するためである。
【０１１９】
図６は、図２のＳ９における第３の制御処理の手順を説明するフローチャートであって、第３の制御処理に際しては、先ずＣＰＵ１が、メモリフルであるか否かを判断する（Ｓ９１）。
【０１２０】
メモリフルでなければ（Ｓ９１：ＮＯ）、ＣＰＵ１が、ドットカウンタのカウント値が所定値以下であるか否かを判断する（Ｓ９３）。
【０１２１】
ドットカウンタのカウント値が所定値以下であれば（Ｓ９３：ＹＥＳ）、ＣＰＵ１が、受信データを記録させると同時に記憶させる（Ｓ９４）。そしてＣＰＵ１が、１頁分の受信データが記録されかつ記憶されたか否かを判断する（Ｓ９５）。
【０１２２】
１頁分の受信データが記録されかつ記憶されていれば（Ｓ９５：ＹＥＳ）、ＣＰＵ１が、全頁の受信データが記録されかつ記憶されたか否かを判断する（Ｓ９６）。
【０１２３】
全頁の受信データが記録されかつ記憶されていれば（Ｓ９６：ＹＥＳ）、ＣＰＵ１が、回線を開放させる（Ｓ９７）。そしてＣＰＵ１が、記録結果問い合わせ処理を実行し（Ｓ９８）、このルーチンを終了する。この記録結果問い合わせ処理の詳細については、後述する。
【０１２４】
Ｓ９６において、全頁の受信データが記録されかつ記憶されていなければ（Ｓ９６：ＮＯ）、すなわち次に記録かつ記憶すべき頁の受信データが存在すれば、Ｓ９１に戻って次頁の記録および記憶の前処理を開始する。
【０１２５】
Ｓ９５において、１頁分の受信データが記録されかつ記憶されていなければ（Ｓ９５：ＮＯ）、Ｓ９４に戻って受信データの記録および記憶を継続する。
【０１２６】
Ｓ９３において、ドットカウンタのカウント値が所定値以下でなければ（Ｓ９３：ＮＯ）、黒インクのインク切れであるので、ＣＰＵ１が、インク切れ処理を実行し（Ｓ９９）、このルーチンを終了する。このインク切れ処理の詳細については、後述する。
【０１２７】
Ｓ９１において、メモリフルであれば（Ｓ９１：ＹＥＳ）、ＣＰＵ１が、受信データが記録済みであるか未記録であるかの情報をＲＡＭ３から読み出し、ＲＡＭ３に記録済のバックアップデータが格納されているか否かを判断する（Ｓ９２ａ）。ＲＡＭ３に記録済のバックアップデータが格納されていなければ（Ｓ９２ａ：ＮＯ）、ＣＰＵ１が、ＮＣＵ２を制御して回線を開放させ（Ｓ９２ｂ）、このルーチンを終了する。ＲＡＭ３に記録済のバックアップデータが格納されていれば（Ｓ９２ａ：ＹＥＳ）、ＣＰＵ１が、記録済のバックアップデータＷＯＲＡＭ３から１件消去し（Ｓ９２ｃ）、Ｓ９１に戻る。
【０１２８】
このように、マークフラグがオフで、バックアップフラグがオンの場合、外乱光の有無に係わらず、全ての受信ファクシミリデータをバックアップデータとしてＲＡＭ３に格納する。もちろん、インクエンプティマークを記録しない。
【０１２９】
図７は、図２のＳ１０における第４の制御処理の手順を説明するフローチャートであって、第４の制御処理に際しては、先ずＣＰＵ１が、ドットカウンタのカウント値が所定値以下であるか否かを判断する（Ｓ１０１）。
【０１３０】
ドットカウンタのカウント値が所定値以下であれば（Ｓ１０１：ＹＥＳ）、ＣＰＵ１が、受信データを記録させる（Ｓ１０２）。そしてＣＰＵ１が、１頁分の受信データが記録されたか否かを判断する（Ｓ１０３）。
【０１３１】
１頁分の受信データが記録されていれば（Ｓ１０３：ＹＥＳ）、ＣＰＵ１が、全頁の受信データが記録されたか否かを判断する（Ｓ１０４）。
【０１３２】
全頁の受信データが記録されていれば（Ｓ１０４：ＹＥＳ）、ＣＰＵ１が、回線を開放させ（Ｓ１０５）、このルーチンを終了する。
【０１３３】
Ｓ１０４において、全頁の受信データが記録されていなければ（Ｓ１０４：ＮＯ）、すなわち次に記録すべき頁の受信データが存在すれば、Ｓ１０１に戻って次頁の記録の準備を開始する。
【０１３４】
Ｓ１０３において、１頁分の受信データが記録されていなければ（Ｓ１０３：ＮＯ）、Ｓ１０２に戻って受信データの記録を継続する。
【０１３５】
Ｓ１０１において、ドットカウンタのカウント値が所定値以下でなければ（Ｓ１０１：ＮＯ）、黒インクのインク切れであるので、ＣＰＵ１が、インク切れ処理を実行し（Ｓ１０６）、このルーチンを終了する。このインク切れ処理の詳細については、後述する。
【０１３６】
このように、マークフラグとバックアップフラグとの双方がオフの場合、外乱光の有無に係わらず、インクエンプティマークを記録せず、かつバックアップも行わない。
【０１３７】
図８は、図３のＳ６１、および図６のＳ９８における記録結果問い合わせ処理の手順を説明するフローチャートであって、記録結果問い合わせ処理に際しては、先ずＣＰＵ１が、表示部１４を制御して、表示部１４の表示画面上に、記録結果が良好であるか否かを使用者に問い合わせるための表示を表示させる（Ｓ１１１）。具体的には、ＣＰＵ１が、図１５の（ａ）のような表示と（ｂ）のような表示とを、所定時間毎に交互に表示部１４の表示画面上の所定の位置に表示させる。そしてＣＰＵ１が、使用者により記録が良好である旨の入力操作がなされたか否かを判断する（Ｓ１１２）。具体的には、ＣＰＵ１が、操作部１３からの操作信号を監視して、使用者が「１」のテンキーを押下したかどうかを調べる。
【０１３８】
使用者により記録が良好である旨の入力操作がなされていなければ（Ｓ１１２：ＮＯ）、ＣＰＵ１が、使用者により記録が不良である旨の入力操作がなされたか否かを判断する（Ｓ１１３）。具体的には、ＣＰＵ１が、操作部１３からの操作信号を監視して、使用者が「２」のテンキーを押下したかどうかを調べる。
【０１３９】
使用者が記録用紙上に記録された受信画像を調べて、記録が不良である旨の入力操作を行えば（Ｓ１１３：ＹＥＳ）、ＣＰＵ１が、表示部１４を制御して、記録結果が良好であるか否かを使用者に問い合わせるための表示を消去させ（Ｓ１１４）、このルーチンを終了する。
【０１４０】
Ｓ１１３において、記録が不良である旨の入力操作がなされていなければ（Ｓ１１３：ＮＯ）、Ｓ１１２に戻って使用者による入力操作を待つ。
【０１４１】
Ｓ１１２において、使用者により記録が良好である旨の入力操作がなされていれば（Ｓ１１２：ＹＥＳ）、ＣＰＵ１が、本件バックアップデータを消去し（Ｓ１１５）、Ｓ１１４に進む。具体的には、ＣＰＵ１が、図３のＳ５６あるいは図６のＳ９４においてＲＡＭ３に格納した受信データを消去する。
【０１４２】
このように、記録と記憶とを同時に行ったときには、印字結果を使用者に問い合わせ、印字結果が良好であればバックアップデータを消去して、ＲＡＭ３に無駄なバックアップデータが滞留することのないようにしている。
【０１４３】
図９は、図３のＳ５１あるいは図５のＳ８０におけるインク詰まり処理の手順を説明するフローチャートであって、インク詰まり処理に際しては、先ずＣＰＵ１が、メモリフルであるか否かを判断する（Ｓ１２１）。具体的には、ＣＰＵ１が、ＲＡＭ３の空き容量が所定値以上であるかどうかを調べる。
【０１４４】
メモリフルでなければ（Ｓ１２１：ＮＯ）、ＣＰＵ１が、受信データをＲＡＭ３に格納する（Ｓ１２３）。具体的には、先ずＣＰＵ１が、インクエンプティマークが正常に読み取れなかった頁の受信データを、ＲＡＭ３のバッファ領域からバックアップデータ格納領域に転送し、その次の頁の受信データからは、モデム４により復調されてコーデック８により復合化された受信データを、ＤＭＡＣ９により所定バイトずつＲＡＭ３に格納させる。すなわち、インクエンプティマークが正常に読み取れなかったということは、その頁の途中でインク詰まりが発生している可能性が極めて高いことから、記録済であるその頁自体の受信データもバックアップデータとしてＲＡＭ３に格納している。そしてＣＰＵ１が、１頁分の受信データがＲＡＭ３に格納されたか否かを判断する（Ｓ１２４）。
【０１４５】
１頁分の受信データがＲＡＭ３に格納されていれば（Ｓ１２４：ＹＥＳ）、ＣＰＵ１が、全頁の受信データがＲＡＭ３に格納されたか否かを判断する（Ｓ１２５）。
【０１４６】
全頁の受信データがＲＡＭ３に格納されていれば（Ｓ１２５：ＹＥＳ）、ＣＰＵ１が、回線を開放させる（Ｓ１２６）。具体的には、ＣＰＵ１が、ＮＣＵ２を制御して、電話回線２１を開放させる。そしてＣＰＵ１が、表示部１４を制御して、表示部１４の表示画面上の所定領域に、インク詰まりが発生した旨を表示させる（Ｓ１２７）。そしてＣＰＵ１が、記録禁止モードを設定して（Ｓ１２８）、このルーチンを終了する。記録禁止モードが設定されると、ファクシミリデータを受信した場合、全てメモリ代行受信になり、ＲＡＭ３内の全ての記録済バックアップデータを消去しても空きメモリ容量が所定値を越えない状態になれば、ファクシミリデータの受信を拒否する。この記録禁止モードは、使用者による操作部１３に対する所定のキー操作に基づいて実行される黒インクのインク流路のクリーニング、あるいはファクシミリ装置の電源オン期間に所定時間毎に実行される黒インクのインク流路のクリーニングによって解除される。
【０１４７】
Ｓ１２５において、全頁の受信データがＲＡＭ３に格納されていなければ（Ｓ１２５：ＮＯ）、すなわち次に記憶すべき頁の受信データが存在すれば、Ｓ１２１に戻って次頁の記憶の前処理を開始する。
【０１４８】
Ｓ１２４において、１頁分の受信データがＲＡＭ３に格納されていなければ（Ｓ１２４：ＮＯ）、Ｓ１２３に戻って記憶を継続する。
【０１４９】
Ｓ１２１において、メモリフルであれば（Ｓ１２１：ＹＥＳ）、バックアップできないのでＳ１２６に進む。
【０１５０】
このように、インクエンプティマークが正常に読み取れない場合には、黒インクのインク流路が詰まっているものと判断して、使用者に黒インクのインク流路のクリーニングのための操作を促すようにしている。
【０１５１】
図１０は、図３のＳ５２，Ｓ６２、図５のＳ８１，Ｓ８７、図６のＳ９９、あるいは図７のＳ１０６におけるインク切れ処理の手順を説明するフローチャートであって、インク切れ処理に際しては、先ずＣＰＵ１が、メモリフルであるか否かを判断する（Ｓ１３１）。具体的には、ＣＰＵ１が、ＲＡＭ３の空き容量が所定値以上であるかどうかを調べる。
【０１５２】
メモリフルでなければ（Ｓ１３１：ＮＯ）、ＣＰＵ１が、受信データをＲＡＭ３に格納する（Ｓ１３３）。具体的には、ＣＰＵ１が、モデム４により復調されてコーデック８により復合化された受信データを、ＤＭＡＣ９により所定バイトずつＲＡＭ３に格納させる。このとき、ドットカウンタの第２の閾値は多少の余裕を持って設定されているので、頁の途中でドットカウンタのカウント値が第２の閾値である所定値に達しても、その頁は印字可能であることから、次頁以降の受信データをＲＡＭ３に格納するようにしている。そしてＣＰＵ１が、１頁分の受信データがＲＡＭ３に格納されたか否かを判断する（Ｓ１３４）。
【０１５３】
１頁分の受信データがＲＡＭ３に格納されていれば（Ｓ１３４：ＹＥＳ）、ＣＰＵ１が、全頁の受信データがＲＡＭ３に格納されたか否かを判断する（Ｓ１３５）。
【０１５４】
全頁の受信データがＲＡＭ３に格納されていれば（Ｓ１３５：ＹＥＳ）、ＣＰＵ１が、回線を開放させる（Ｓ１３６）。具体的には、ＣＰＵ１が、ＮＣＵ２を制御して、電話回線２１を開放させる。そしてＣＰＵ１が、表示部１４を制御して、表示部１４の表示画面上の所定領域に、黒インクのインク切れが発生した旨を表示させる（Ｓ１３７）。そしてＣＰＵ１が、記録禁止モードを設定して（Ｓ１３８）、このルーチンを終了する。記録禁止モードが設定されると、ファクシミリデータを受信した場合、全てメモリ代行受信になり、ＲＡＭ３内の全ての記録済バックアップデータを消去しても空きメモリ容量が所定値を越えない状態になれば、ファクシミリデータの受信を拒否する。この記録禁止モードは、使用者による黒インクのインクカートリッジの交換後に実行される黒インクのインク流路のクリーニングによって解除される。
【０１５５】
Ｓ１３５において、全頁の受信データがＲＡＭ３に格納されていなければ（Ｓ１３５：ＮＯ）、すなわち次に記憶すべき頁の受信データが存在すれば、Ｓ１３１に戻って次頁の記憶の前処理を開始する。
【０１５６】
Ｓ１３４において、１頁分の受信データがＲＡＭ３に格納されていなければ（Ｓ１３４：ＮＯ）、Ｓ１３３に戻って記憶を継続する。
【０１５７】
Ｓ１３１において、メモリフルであれば（Ｓ１３１：ＹＥＳ）、ＣＰＵ１が、受信データが記録済みであるか未記録であるかの情報をＲＡＭ３から読み出し、ＲＡＭ３に記録済のバックアップデータが格納されているか否かを判断する（Ｓ１３９）。ＲＡＭ３に記録済のバックアップデータが格納されていれば（Ｓ１３９：ＹＥＳ）、ＣＰＵ１が、記録済のバックアップデータをＲＡＭ３から１件消去し（Ｓ１４０）、Ｓ１３１に戻る。ＲＡＭ３に記録済のバックアップデータが格納されていなければ（Ｓ１３９：ＮＯ）、Ｓ１３６に進む。
【０１５８】
このように、黒インクのドットカウンタが第２の閾値である所定値に達すれば、黒インクが無くなったものとして、使用者に黒インクのインクカートリッジの交換を促すようにしている。
【０１５９】
図１１は、クリーニング後処理の手順を説明するフローチャートであって、このクリーニング後処理は、使用者による所定のキー操作に基づいて実行される黒インクのインク流路のクリーニング、ファクシミリ装置の電源オン期間中に所定時間毎に自動的に実行される黒インクのインク流路のクリーニング、あるいは使用者による黒インクのインクカートリッジの交換の後に自動的に実行される黒インクのインク流路のクリーニング、の後に自動的に実行される。
【０１６０】
クリーニング後処理に際しては、先ずＣＰＵ１が、記録禁止モードが設定されているか否かを判断する（Ｓ１４１）。
【０１６１】
記録禁止モードが設定されていれば（Ｓ１４１：ＹＥＳ）、ＣＰＵ１が、記録禁止モードを解除する（Ｓ１４２）。そしてＣＰＵ１が、マークフラグがオンであるか否かを判断する（Ｓ１４３）。具体的には、ＣＰＵ１が、ＥＥＰＲＯＭ６の所定領域に格納されているマークフラグを読み出し、その内容が「１」であるかどうかを調べる。
【０１６２】
マークフラグがオンであれば（Ｓ１４３：ＹＥＳ）、ＣＰＵ１が、外乱光の有無を判断する（Ｓ１４４）。具体的には、ＣＰＵ１が、マークセンサ１５による検出位置に記録用紙が存在しておらず、かつマークセンサ１５の発光ダイオードなどの光源をオフさせた状態で、マークセンサ１５からの検出出力を監視し、検出出力が所定値を越えていないかどうかを調べる。
【０１６３】
外乱光が存在しなければ（Ｓ１４４：ＮＯ）、ＣＰＵ１が、ドットカウンタのカウント値が所定値以下であるか否かを判断する（Ｓ１４５）。
【０１６４】
ドットカウンタのカウント値が所定値以下であれば（Ｓ１４５：ＹＥＳ）、ＣＰＵ１が、ＲＡＭ３にバックアップされている受信データを記録させる（Ｓ１４６）。具体的には、ＣＰＵ１が、ＲＡＭ３に格納されているバックアップデータを読み出し、ゲートアレイ７を介して記録部１２に供給し、１バンド分の受信画像を黒インクにより記録用紙上に印字させる。
【０１６５】
そしてＣＰＵ１が、１頁分の記録が終了したか否かを判断する（Ｓ１４７）。
【０１６６】
１頁分の記録が終了していれば（Ｓ１４７：ＹＥＳ）、ＣＰＵ１が、記録部１２を制御して、記録用紙上の所定位置にインクエンプティマークを記録させる（Ｓ１４８）。そしてＣＰＵ１が、インクエンプティマークを読み取り（Ｓ１４９）、インクエンプティマークが正常に読み取れたか否かを判断する（Ｓ１５０）。
【０１６７】
インクエンプティマークが正常に読み取れなければ（Ｓ１５０：ＮＯ）、ＣＰＵ１が、フラグＢの内容を「１」にする（Ｓ１５１）。具体的には、ＣＰＵ１が、ＥＥＰＲＯＭ６の所定領域からフラグＢを読み出し、その内容が「０」であれば「１」を書き込み、「１」であればそのままにする。このフラグＢは、ＲＡＭ３にバックアップされている受信データの記録中にインクエンプティマークが正常に読み取れたか否かを表すものであって、ＥＥＰＲＯＭ６の所定領域に記憶されている。なお、フラグＢの初期値は「０」である。そしてＣＰＵ１が、バックアップデータの記録が１件分の全頁にわたって終了したか否かを判断する（Ｓ１５２）。
【０１６８】
バックアップデータの記録が１件分の全頁にわたって終了していれば（Ｓ１５２：ＹＥＳ）、ＣＰＵ１が、バックアップデータの記録が全件にわたって終了したか否かを判断する（Ｓ１５３）。
【０１６９】
バックアップデータの記録が全件にわたって終了していれば（Ｓ１５３：ＹＥＳ）、ＣＰＵ１が、フラグＢの内容が「０」であるか否かを判断する（Ｓ１５４）。フラグＢの内容が「０」であれば（Ｓ１５４：ＹＥＳ）、インクエンプティマークを全件の全頁にわたって正常に読み取れたということであり、バックアップデータを全件にわたって正常に記録できたと考えられるので、ＲＡＭ３に格納されているバックアップデータとしての受信データを全て消去して（Ｓ１５５）、このルーチンを終了する。
【０１７０】
Ｓ１５４において、フラグＢの内容が「０」でなければ（Ｓ１５４：ＮＯ）、バックアップデータが正常に記録されなかった恐れがあるので、ＣＰＵ１が、表示部１４を制御して、表示部１４の表示画面上に、記録結果が良好であるか否かを使用者に問い合わせるための表示を表示させる（Ｓ１５６）。具体的には、ＣＰＵ１が、図１５の（ａ）のような表示と（ｂ）のような表示とを、所定時間毎に交互に表示部１４の表示画面上の所定の位置に表示させる。そしてＣＰＵ１が、使用者により記録が良好である旨の入力操作がなされたか否かを判断する（Ｓ１５７）。具体的には、ＣＰＵ１が、操作部１３からの操作信号を監視して、使用者が「１」のテンキーを押下したかどうかを調べる。
【０１７１】
使用者により記録が良好である旨の入力操作がなされていなければ（Ｓ１５７：ＮＯ）、ＣＰＵ１が、使用者により記録が不良である旨の入力操作がなされたか否かを判断する（Ｓ１５８）。具体的には、ＣＰＵ１が、操作部１３からの操作信号を監視して、使用者が「２」のテンキーを押下したかどうかを調べる。
【０１７２】
使用者が記録用紙上に記録された受信画像を調べて、記録が不良である旨の入力操作を行えば（Ｓ１５８：ＹＥＳ）、ＣＰＵ１が、表示部１４を制御して、記録結果が良好であるか否かを使用者に問い合わせるための表示を消去させる（Ｓ１５９）。そしてＣＰＵ１が、フラグＢをオフにして（Ｓ１６０）、このルーチンを終了する。
【０１７３】
Ｓ１５８において、記録が不良である旨の入力操作がなされていなければ（Ｓ１５８：ＮＯ）、Ｓ１５７に戻って使用者による入力操作を待つ。
【０１７４】
Ｓ１５７において、使用者により記録が良好である旨の入力操作がなされていれば（Ｓ１５７：ＹＥＳ）、ＣＰＵ１が、表示部１４を制御して、記録結果が良好であるか否かを使用者に問い合わせるための表示を消去させる（Ｓ１６１）。そしてＣＰＵ１が、フラグＢをオフにして（Ｓ１６２）、Ｓ１５５に進む。
【０１７５】
Ｓ１５３において、受信データの記録が全件にわたって終了していなければ（Ｓ１５３：ＮＯ）、すなわち次に記録すべき件の受信データが存在すれば、Ｓ１４４に戻って次の件のバックアップデータの記録の前処理を開始する。
【０１７６】
Ｓ１５２において、受信データの記録がその件の全頁にわたって終了していなければ（Ｓ１５２：ＮＯ）、すなわち次に記録すべき頁の受信データが存在すれば、Ｓ１４４に戻って次頁のバックアップデータの記録の前処理を開始する。
【０１７７】
Ｓ１５０において、インクエンプティマークが正常に読み取れれば（Ｓ１５０：ＹＥＳ）、フラグＢを「１」にする必要が無いので、Ｓ１５１を飛ばしてＳ１５２に進む。
【０１７８】
Ｓ１４７において、１頁分の記録が終了していなければ（Ｓ１４７：ＮＯ）、Ｓ１４６に戻って記録を継続する。
【０１７９】
Ｓ１４５において、ドットカウンタのカウント値が所定値以下でなければ（Ｓ１４５：ＮＯ）、ＣＰＵ１が、記録部１２の表示画面上に黒インクのインク切れである旨を表示させる（Ｓ１６３）。そしてＣＰＵ１が、記録禁止モードを設定する（Ｓ１６４）。そしてＣＰＵ１が、フラグＢを「０」に設定して（Ｓ１７１）、このルーチンを終了する。具体的には、ＣＰＵ１が、ＥＥＰＲＯＭ６の所定領域からフラグＢの内容を読み出し、その内容が「１」であれば「０」に書き換え、「０」であればそのままにしておく。
【０１８０】
Ｓ１４４において、外乱光が侵入していれば（Ｓ１４４：ＹＥＳ）、ＣＰＵ１が、フラグＢを「１」にする（Ｓ１６５）。そしてＣＰＵ１が、ドットカウンタのカウント値が所定値以下であるか否かを判断する（Ｓ１６６）。
【０１８１】
ドットカウンタのカウント値が所定値以下であれば（Ｓ１６６：ＹＥＳ）、ＣＰＵ１が、記録部１２を制御して、バックアップデータを記録させる（Ｓ１６７）。そしてＣＰＵ１が、１頁分のバックアップデータが記録されたか否かを判断する（Ｓ１６８）。
【０１８２】
１頁分のバックアップデータが記録されていれば（Ｓ１６８：ＹＥＳ）、ＣＰＵ１が、本件についての全頁のバックアップデータが記録されたか否かを判断する（Ｓ１６９）。
【０１８３】
全頁のバックアップデータが記録されていれば（Ｓ１６９：ＹＥＳ）、ＣＰＵ１が、全件のバックアップデータが記録されたか否かを判断する（Ｓ１７０）。
【０１８４】
全件のバックアップデータが記録されていれば（Ｓ１７０：ＹＥＳ）、Ｓ１５４に進んで消去の前処理を開始する。
【０１８５】
Ｓ１７０において、全件のバックアップデータが記録されていなければ（Ｓ１７０：ＮＯ）、すなわち次に記録すべき件のバックアップデータが存在すれば、Ｓ１６６に戻って次の件の記録の前処理を開始する。
【０１８６】
Ｓ１６９において、全頁のバックアップデータが記録されていなければ（Ｓ１６９：ＮＯ）、すなわち次に記録すべき頁のバックアップデータが存在すれば、Ｓ１６６に戻って次頁の記録の前処理を開始する。
【０１８７】
Ｓ１６８において、１頁分のバックアップデータが記録されていなければ（Ｓ１６８：ＮＯ）、Ｓ１６７に戻ってバックアップデータの記録を継続する。
【０１８８】
Ｓ１６６において、ドットカウンタのカウント値が所定値以下でなければ（Ｓ１６６：ＮＯ）、Ｓ１６３に進む。
【０１８９】
Ｓ１４３において、マークフラグがオンでなければ（Ｓ１４３：ＮＯ）、バックアップデータを自動的に記録しても、正常に記録されたか否か判断できないので、このルーチンを終了する。
【０１９０】
Ｓ１４１において、記録禁止モードでなければ（Ｓ１４１：ＮＯ）、記録禁止モードを解除する必要が無いので、Ｓ１４２を飛ばしてＳ１４３に進む。
【０１９１】
このように、マークフラグがオンであれば、黒インクのインク流路のクリーニング後に、ＲＡＭ３に記憶されているバックアップデータを自動的に記録し、全てのインクエンプティマークが正常に読み取れれば、全てのバックアップデータを自動的に消去する。また、正常に読み取れないインクエンプティマークが存在すれば、バックアップデータの消去の可否を使用者に問い合わせる。
【０１９２】
図１２は、手動消去処理の手順を説明するフローチャートであって、この手動消去処理は、使用者による所定のキー操作に基づいて実行される。たとえば、フルカラー印字のコピーを連続的に行うような場合、コピーのためにＲＡＭ３の容量を大量に消費するので、バックアップデータがＲＡＭ３に格納されていれば、コピーを正常に行えないことがある。このため、使用者の操作部１３に対するキー操作によって、ＲＡＭ３のバックアップデータを消去できるようにしているのである。またこの手動消去処理は、カラーコピーのためだけではなく、使用者がバックアップデータを記録用紙上に記録したいときにも利用できる。
【０１９３】
手動消去処理に際しては、先ずＣＰＵ１が、ＲＡＭ３にバックアップデータが記憶されているか否かを判断する（Ｓ１８１）。このバックアップデータには、マークフラグとバックアップフラグと外乱光の有無との組み合わせに応じてバックアップした受信データばかりでなく、たとえば記録用紙が無くなったなどの、他の理由によりメモリ代行受信された受信データや、転送のためにＲＡＭ３に記憶されている受信データなども含む。
【０１９４】
バックアップデータが記憶されていれば（Ｓ１８１：ＹＥＳ）、ＣＰＵ１が、表示部１４を制御して、記録の要否を使用者に問い合わせるための表示を、表示部１４の表示画面上の所定の位置に表示させる（Ｓ１８２）。具体的には、ＣＰＵ１が、図１３の（ａ）に示すような表示と（ｂ）に示すような表示とを、表示部１４の表示画面の所定位置に所定時間毎に交互に表示させる。そしてＣＰＵ１が、使用者により記録不要の入力操作がなされたか否かを判断する（Ｓ１８３）。具体的には、ＣＰＵ１が、操作部１３からの操作信号を監視することにより、使用者が「２」のテンキーを押下したかどうかを調べる。なお、使用者は、操作部１３に対する所定のキー操作により、メモリステータスリストを表示あるいは記録させることによって、ＲＡＭ３に記憶されているバックアップデータの情報を知ることができ、この情報に基づいて記録の要否を判断する。この情報は、たとえば送信元の名称や電話番号、ならびに受信日時などである。さらに使用者は、操作部１３に対する所定のキー操作、あるいは予め設定された所定時間毎に出力される、図１８に示すような通信管理レポートによっても、ＲＡＭ３に記憶されているバックアップデータの情報を知ることができる。この通信管理レポートは、記録用紙上に記録されたものである。
【０１９５】
使用者により記録不要の入力操作がなされていなければ（Ｓ１８３：ＮＯ）、ＣＰＵ１が、使用者により記録必要の入力操作がなされたか否かを判断する（Ｓ１８４）。具体的には、ＣＰＵ１が、操作部１３からの操作信号を監視することにより、使用者が「１」のテンキーを押下したかどうかを調べる。
【０１９６】
使用者により記録必要の入力操作がなされていれば（Ｓ１８４：ＹＥＳ）、ＣＰＵ１が、表示部１４を制御して、表示部１４の表示画面にプリント中である旨を表示させる（Ｓ１８５）。具体的には、図１４に示すような表示を、表示部１４の表示画面上に表示させる。そしてＣＰＵ１が、マークフラグがオンであるか否かを判断する（Ｓ１８６）。
【０１９７】
マークフラグがオンであれば（Ｓ１８６：ＹＥＳ）、ＣＰＵ１が、外乱光の有無を判断する（Ｓ１８７）。具体的には、ＣＰＵ１が、マークセンサ１５による検出位置に記録用紙が存在しておらず、かつマークセンサ１５の発光ダイオードなどの光源をオフさせた状態で、マークセンサ１５からの検出出力を監視し、検出出力が所定値を越えていないかどうかを調べる。
【０１９８】
外乱光が存在しなければ（Ｓ１８７：ＮＯ）、ＣＰＵ１が、ドットカウンタのカウント値が所定値以下であるか否かを判断する（Ｓ１８８）。
【０１９９】
ドットカウンタのカウント値が所定値以下であれば（Ｓ１８８：ＹＥＳ）、ＣＰＵ１が、記録部１２を制御して、ＲＡＭ３に記憶されているバックアップデータを記録させる（Ｓ１８９）。具体的には、ＣＰＵ１が、ＲＡＭ３に格納されているバックアップデータを読み出し、ゲートアレイ７を介して記録部１２に供給し、１バンド分の受信画像を黒インクにより記録用紙上に印字させる。
【０２００】
そしてＣＰＵ１が、１頁分の記録が終了したか否かを判断する（Ｓ１９０）。
【０２０１】
１頁分の記録が終了していれば（Ｓ１９０：ＹＥＳ）、ＣＰＵ１が、記録部１２を制御して、記録用紙上の所定位置にインクエンプティマークを記録させる（Ｓ１９１）。そしてＣＰＵ１が、インクエンプティマークを読み取る（Ｓ１９２）。そしてＣＰＵ１が、インクエンプティマークが正常に読み取れたか否かを判断する（Ｓ１９３）。
【０２０２】
インクエンプティマークが正常に読み取れなければ（Ｓ１９３：ＮＯ）、ＣＰＵ１が、フラグＣの内容を「１」にする（Ｓ１９４）。具体的には、ＣＰＵ１が、ＥＥＰＲＯＭ６の所定領域からフラグＣを読み出し、その内容が「０」であれば「１」を書き込み、「１」であればそのままにする。このフラグＣは、ＲＡＭ３に記憶されているバックアップデータの記録中にインクエンプティマークが正常に読み取れたか否かを表すものであって、ＥＥＰＲＯＭ６の所定領域に記憶されている。なお、フラグＣの初期値は「０」である。そしてＣＰＵ１が、バックアップデータの記録が１件分の全頁にわたって終了したか否かを判断する（Ｓ１９５）。
【０２０３】
バックアップデータの記録が１件分の全頁にわたって終了していれば（Ｓ１９５：ＹＥＳ）、ＣＰＵ１が、バックアップデータの記録が全件にわたって終了したか否かを判断する（Ｓ１９６）。
【０２０４】
バックアップデータの記録が全件にわたって終了していれば（Ｓ１９６：ＹＥＳ）、ＣＰＵ１が、フラグＣの内容が「０」であるか否かを判断する（Ｓ１９７）。フラグＣの内容が「０」であれば（Ｓ１９７：ＹＥＳ）、インクエンプティマークを全件の全頁にわたって正常に読み取れたということであり、バックアップデータを全件にわたって正常に記録できたと考えられるので、ＲＡＭ３に格納されているバックアップデータとしての受信データを全て消去する（Ｓ１９８）。そしてＣＰＵ１が、表示部１４を制御して、表示部１４の表示画面上に表示されているプリント中である旨の表示、あるいは使用者に消去の可否を問い合わせるための表示を消去させる（Ｓ１９９）。そしてＣＰＵ１が、フラグＣを「０」に設定して（Ｓ２００）、このルーチンを終了する。具体的には、ＣＰＵ１が、ＥＥＰＲＯＭ６の所定領域からフラグＣの内容を読み出し、その内容が「１」であれば「０」に書き換え、「０」であればそのままにしておく。
【０２０５】
Ｓ１９７において、フラグＣの内容が「０」でなければ（Ｓ１９７：ＮＯ）、バックアップデータが正常に記録されなかった恐れがあるので、ＣＰＵ１が、表示部１４を制御して、表示部１４の表示画面上に、記録結果が良好であるか否かを使用者に問い合わせるための表示を表示させる（Ｓ２０１）。具体的には、ＣＰＵ１が、図１５の（ａ）のような表示と（ｂ）のような表示とを、所定時間毎に交互に表示部１４の表示画面上の所定の位置に表示させる。そしてＣＰＵ１が、使用者により記録が良好である旨の入力操作がなされたか否かを判断する（Ｓ２０２）。具体的には、ＣＰＵ１が、操作部１３からの操作信号を監視して、使用者が「１」のテンキーを押下したかどうかを調べる。
【０２０６】
使用者により記録が良好である旨の入力操作がなされていなければ（Ｓ２０２：ＮＯ）、ＣＰＵ１が、使用者により記録が不良である旨の入力操作がなされたか否かを判断する（Ｓ２０３）。具体的には、ＣＰＵ１が、操作部１３からの操作信号を監視して、使用者が「２」のテンキーを押下したかどうかを調べる。
【０２０７】
使用者が記録用紙上に記録された受信画像を調べて、記録が不良である旨の入力操作を行えば（Ｓ２０３：ＹＥＳ）、Ｓ１９９に進む。
【０２０８】
Ｓ２０３において、記録が不良である旨の入力操作がなされていなければ（Ｓ２０３：ＮＯ）、Ｓ２０２に戻って使用者による入力操作を待つ。
【０２０９】
Ｓ２０２において、使用者により記録が良好である旨の入力操作がなされていれば（Ｓ２０２：ＹＥＳ）、Ｓ１９８に進む。
【０２１０】
Ｓ１９６において、受信データの記録が全件にわたって終了していなければ（Ｓ１９６：ＮＯ）、すなわち次に記録すべき件の受信データが存在すれば、Ｓ１８７に戻って次の件のバックアップデータの記録の前処理を開始する。
【０２１１】
Ｓ１９５において、受信データの記録がその件の全頁にわたって終了していなければ（Ｓ１９５：ＮＯ）、すなわち次に記録すべき頁の受信データが存在すれば、Ｓ１８７に戻って次頁のバックアップデータの記録の前処理を開始する。
【０２１２】
Ｓ１９３において、インクエンプティマークが正常に読み取れれば（Ｓ１９３：ＹＥＳ）、フラグＣを「１」にする必要が無いので、Ｓ１９４を飛ばしてＳ１９５に進む。
【０２１３】
Ｓ１９０において、１頁分の記録が終了していなければ（Ｓ１９０：ＮＯ）、Ｓ１８９に戻って記録を続行する。
【０２１４】
Ｓ１８８において、ドットカウンタのカウント値が所定値以下でなければ（Ｓ１８８：ＮＯ）、ＣＰＵ１が、記録部１２の表示画面上に黒インクのインク切れである旨を表示させる（Ｓ２０４）。そしてＣＰＵ１が、記録禁止モードを設定して（Ｓ２０５）、Ｓ２００に進む。
【０２１５】
Ｓ１８７において、外乱光が侵入していれば（Ｓ１８７：ＹＥＳ）、ＣＰＵ１が、フラグＣを「１」にする（Ｓ２０６）。そしてＣＰＵ１が、ドットカウンタのカウント値が所定値以下であるか否かを判断する（Ｓ２０７）。
【０２１６】
ドットカウンタのカウント値が所定値以下であれば（Ｓ２０７：ＹＥＳ）、ＣＰＵ１が、記録部１２を制御して、バックアップデータを記録させる（Ｓ２０８）。そしてＣＰＵ１が、１頁分のバックアップデータが記録されたか否かを判断する（Ｓ２０９）。
【０２１７】
１頁分のバックアップデータが記録されていれば（Ｓ２０９：ＹＥＳ）、ＣＰＵ１が、本件についての全頁のバックアップデータが記録されたか否かを判断する（Ｓ２１０）。
【０２１８】
全頁のバックアップデータが記録されていれば（Ｓ２１０：ＹＥＳ）、ＣＰＵ１が、全件のバックアップデータが記録されたか否かを判断する（Ｓ２１１）。
【０２１９】
全件のバックアップデータが記録されていれば（Ｓ２１１：ＹＥＳ）、Ｓ１９７に進んで消去の前処理を開始する。
【０２２０】
Ｓ２１１において、全件のバックアップデータが記録されていなければ（Ｓ２１１：ＮＯ）、すなわち次に記録すべき件のバックアップデータが存在すれば、Ｓ２０７に戻って次の件の記録の前処理を開始する。
【０２２１】
Ｓ２１０において、全頁のバックアップデータが記録されていなければ（Ｓ２１０：ＮＯ）、すなわち次に記録すべき頁のバックアップデータが存在すれば、Ｓ２０７に戻って次頁の記録の前処理を開始する。
【０２２２】
Ｓ２０９において、１頁分のバックアップデータが記録されていなければ（Ｓ２０９：ＮＯ）、Ｓ２０８に戻ってバックアップデータの記録を継続する。
【０２２３】
Ｓ２０７において、ドットカウンタのカウント値が所定値以下でなければ（Ｓ２０７：ＮＯ）、Ｓ２０４に進む。
【０２２４】
Ｓ１８６において、マークフラグがオンでなければ（Ｓ１８６：ＮＯ）、Ｓ２０６に進む。
【０２２５】
Ｓ１８４において、記録が必要である旨の操作入力がなければ（Ｓ１８４：ＮＯ）、Ｓ１８３に戻って使用者による操作入力を待つ。
【０２２６】
Ｓ１８３において、記録が不要である旨の操作入力があれば（Ｓ１８３：ＹＥＳ）、ＣＰＵ１が、表示部１４を制御して、使用者にバックアップデータを消去してもよいか否かを問い合わせるための表示を表示部１４の表示画面上に表示させる（Ｓ２１２）。具体的には、ＣＰＵ１が、図１６の（ａ）のような表示と（ｂ）のような表示とを、所定時間毎に交互に表示部１４の表示画面上の所定の位置に表示させる。そしてＣＰＵ１が、使用者によりバックアップデータを消去してもよい旨の入力操作がなされたか否かを判断する（Ｓ２１３）。具体的には、ＣＰＵ１が、操作部１３からの操作信号を監視して、使用者が「１」のテンキーを押下したかどうかを調べる。
【０２２７】
使用者によりバックアップデータを消去してもよい旨の入力操作がなされていなければ（Ｓ２１３：ＮＯ）、ＣＰＵ１が、使用者によりバックアップデータを消去してはいけない旨の入力操作がなされたか否かを判断する（Ｓ２１４）。具体的には、ＣＰＵ１が、操作部１３からの操作信号を監視して、使用者が「２」のテンキーを押下したかどうかを調べる。
【０２２８】
使用者が記録用紙上に記録された受信画像を調べて、バックアップデータを消去してはいけない旨の入力操作を行えば（Ｓ２１４：ＹＥＳ）、バックアップデータを消去せずに、Ｓ１９９に進む。
【０２２９】
Ｓ２１４において、使用者によりバックアップデータを消去してはいけない旨の入力操作がなされていなければ（Ｓ２１４：ＮＯ）、Ｓ２１３に戻って使用者による入力操作を待つ。
【０２３０】
Ｓ２１３において、使用者によりバックアップデータを消去してもよい旨の入力操作がなされていれば（Ｓ２１３：ＹＥＳ）、Ｓ１９８に進んでバックアップデータを消去する。
【０２３１】
Ｓ１８１において、ＲＡＭ３にバックアップデータが格納されていなければ（Ｓ１８１：ＮＯ）、ＣＰＵ１が、表示部１４を制御して、ＲＡＭ３にバックアップデータが格納されていない旨を所定時間表示させ（Ｓ２１５）、Ｓ１９９に進む。具体的には、ＣＰＵ１が、表示部１４の表示画面上の所定の位置に、図１７に示すような表示をたとえば２秒間表示させる。
【０２３２】
このように、使用者による所定のキー操作に基づいて、ＲＡＭ３に格納されている受信データすなわちバックアップデータを任意に消去できる。
【０２３３】
なお、上記実施形態では、マークフラグとバックアップフラグとの双方がオンで、着信時に外乱光の侵入があった場合、および、マークフラグがオフでバックアップフラグがオンの場合に、使用者により記録が不良である旨の入力操作がなされたときに、ＲＡＭ３に記憶した画像データを消去しないように構成したが、必ずしもこのように構成する必要はなく、使用者により記録が不良である旨の入力操作がなされたときに、黒インクのインク流路の清掃を促すための表示を表示部１４の表示画面上に表示させ、清掃後に、ＲＡＭ３に記憶した画像データを自動的に記録部１２に記録させるように構成してもよい。
【０２３４】
また、上記実施形態では、マークフラグの他にバックアップフラグを設定し、これらのフラグの組み合わせと外乱光の有無とに応じて制御を切り替えるように構成したが、必ずしもこのように構成する必要はなく、マークフラグとバックアップフラグとのうちの一方または双方を用いなくてもよい。たとえば、マークフラグとバックアップフラグとの双方を用いない場合、これらマークフラグとバックアップフラグとの双方がオンの場合の動作が常に行われるように構成すればよい。同様に、マークフラグを用いてバックアップフラグを用いない場合、バックアップフラグがオンの場合の動作が常に行われるように構成すればよい。また、バックアップフラグを用いてマークフラグを用いない場合、マークフラグがオンの場合の動作が常に行われるように構成すればよい。
【０２３５】
更に、上記実施形態では、メモリフルのときに、記録済のバックアップデータをＲＡＭ３から必要な量だけ消去したが、このような消去動作を自動的に行うか否かを、キー操作などにより使用者が任意に切り替えられるように構成してもよい。
【０２３６】
【発明の効果】
以上説明したように請求項１に記載した発明の通信装置によれば、第１の表示制御手段が、記録・記憶制御手段により画像情報が画像情報記憶手段に記憶された場合、受信手段による画像情報の受信終了後に、記録手段による記録結果の良否を使用者に問い合わせるための表示を表示手段に表示させ、消去制御手段が、第１の表示制御手段に基づく記録結果の良否を問い合わせるための表示に対して、使用者により記録結果が良好である旨の入力操作が行われたときに、記録・記憶制御手段による制御によって画像情報記憶手段に記憶された画像情報を消去するので、外乱光の侵入に対処できると同時に、画像情報記憶手段が画像情報で埋め尽くされる事態を極力回避できる。特に、外乱光の侵入に起因して画像情報が画像情報記憶手段に記憶された場合にも、その事実を使用者が知ることができるので、使用者が頻繁に確認操作を行うことなく、受信した画像情報によって画像情報記憶手段の空き容量がなくなってしまうのを良好に回避できる。
【０２３７】
【０２３８】
【０２３９】
また、請求項２に記載した発明の通信装置によれば、請求項１に記載の通信装置による効果に加えて、インクジェット方式の印字装置を備えた本発明の通信装置を実現できる。
【０２４０】
【図面の簡単な説明】
【図１】  本発明に係る通信装置の一例としてのファクシミリ装置の回路ブロック図である。
【図２】  図１に示すファクシミリ装置による受信処理の手順を説明するフローチャートである。
【図３】  図１に示すファクシミリ装置による第１の制御処理の手順の一部を説明するフローチャートである。
【図４】  図１に示すファクシミリ装置による第１の制御処理の手順の残部を説明するフローチャートである。
【図５】  図１に示すファクシミリ装置による第２の制御処理の手順を説明するフローチャートである。
【図６】  図１に示すファクシミリ装置による第３の制御処理の手順を説明するフローチャートである。
【図７】  図１に示すファクシミリ装置による第４の制御処理の手順を説明するフローチャートである。
【図８】  図１に示すファクシミリ装置による記録結果問合せ処理の手順を説明するフローチャートである。
【図９】  図１に示すファクシミリ装置によるインク詰まり処理の手順を説明するフローチャートである。
【図１０】  図１に示すファクシミリ装置によるインク切れ処理の手順を説明するフローチャートである。
【図１１】  図１に示すファクシミリ装置によるクリーニング後処理の手順を説明するフローチャートである。
【図１２】  図１に示すファクシミリ装置による手動消去処理の手順を説明するフローチャートである。
【図１３】  図１に示すファクシミリ装置による手動消去処理における表示内容の説明図である。
【図１４】  図１に示すファクシミリ装置による手動消去処理における表示内容の説明図である。
【図１５】  図１に示すファクシミリ装置による手動消去処理における表示内容の説明図である。
【図１６】  図１に示すファクシミリ装置による手動消去処理における表示内容の説明図である。
【図１７】  図１に示すファクシミリ装置による手動消去処理における表示内容の説明図である。
【図１８】  図１に示すファクシミリ装置により出力される通信管理レポートの説明図である。
【符号の説明】
１  ＣＰＵ
２  ＮＣＵ
３  ＲＡＭ
４  モデム
５  ＲＯＭ
６  ＥＥＰＲＯＭ
７  ゲートアレイ
８  コーデック
９  ＤＭＡＣ
１１  読取部
１２  記録部
１３  操作部
１４  表示部
１５  マークセンサ
２１  電話回線
【図１】
0003903538.tif 000002
【図２】
0003903538.tif 000003
【図３】
0003903538.tif 000004
【図４】
0003903538.tif 000005
【図５】
0003903538.tif 000006
【図６】
0003903538.tif 000007
【図７】
0003903538.tif 000008
【図８】
0003903538.tif 000009
【図９】
0003903538.tif 000010
【図１０】
0003903538.tif 000011
【図１１】
0003903538.tif 000012
【図１２】
0003903538.tif 000013
【図１３】
0003903538.tif 000014
【図１４】
0003903538.tif 000015
【図１５】
0003903538.tif 000016
【図１６】
0003903538.tif 000017
【図１７】
0003903538.tif 000018
【図１８】
0003903538.tif 000019